(57)【要約】      （修正有）【課題】探知針の差し込み作業中でも、測定筒体に嵌挿している目盛を指示する測定体が、確実に差し込み深さ目盛を指示し、測定位置の高低にも拘らず測定作業をスムーズに処理できる下地検知具を提供する。【解決手段】探知針ｊを出入する針孔を有する筒体ａ内に一端部が嵌挿し、他端部１７が飛出し、且内挿するコイルスプリングの付勢によって押圧される前記探知針ｊを飛出せしめる測定筒体ｄを有する下地材探知具において、前記測定筒体ｄの外周面部１３に飛出した探知針ｊの長さに比例する目盛１４を付記せしめると共に、前記測定筒体ｄに嵌挿する測定体ｋを嵌挿せしめた。【選択図】図１
2012132809.tif 000002
【特許請求の範囲】
【請求項１】
探知針を出入する針孔を有する筒体内に一端部が嵌挿し、他端部が飛出し、且内挿するコイルスプリングの付勢によって押圧される前記探知針を飛出せしめる測定筒体を有する下地材探知具において、
前記測定筒体の外周面部に飛出した探知針の長さに比例する目盛を付記せしめると共に、前記測定筒体に嵌挿する測定体を嵌挿せしめることを特徴とする下地材探知具。
【請求項２】
前記測定体がスライド自在な環形状をしていることを特徴とする請求項１に記載の下地材探知具。
【請求項３】
前記測定筒体の軸方向に凹溝を単数もしくは複数形成すると共に、前記測定体の内側に前記凹溝に嵌挿する突出部を単数もしくは複数形成せしめることを特徴とする請求項１又は同２に記載の下地材探知具。
【請求項４】
前記測定体の幅員が均一にて形成せしめられていることを特徴とする請求項１又は同２又は同３に記載の下地材探知具。
【請求項５】
前記測定体が、前記測定筒体の軸方向に対し、直角状に嵌挿せしめられていることを特徴とする請求項1又は同２又は同３又は同４に記載の下地材探知具。
【請求項６】
前記筒体の先端部に探知針が出入する針孔を有し、且壁面等の表面部に当たる前面部がフラット状の当て部を有していることを特徴とする請求項1又は同２又は同３又は同４又は同５に記載の下地材探知具。
【請求項７】
先端部に探知針が出入する針孔と、且壁面等の表面部に当たる前面部にフラット状の当て部を有し、他端部には開口部を有し、内側の前方部には凹部を有し、且前記開口部より内側方に組立て指示用凹部を有する中空状部の筒体と、
一端部が前記筒体の中空状部の凹部に嵌挿し、且貫通孔を有するガイド体と、
前記ガイド体の貫通孔に挿入し前記探知針が貫通する小径貫通孔を有する小径ガイド体と、
前記筒体と前記ガイド体との間に一端部に係止部を有し、外周面部に前記探知針の差込深さを表示する目盛を付記し、一端部寄りに直角状に折曲し、且軸方向に延設する凹溝を形成し、内側には貫通孔を形成し、他端部に針ガイド体の他端部を挿入する挿入部と、前記挿入部と連接する探知針の貫通孔とからなる針固定体を係止する突出部を前記貫通孔と連接する嵌挿孔の内側部に形成し、且前記貫通孔の右側方の内側部にグリップの一端部に形成の雄ネジ部が螺合する雌ネジ部を形成する測定筒体と、
前記測定筒体の凹溝に嵌挿するガイド部を貫通孔の内側に形成し、且他端部に外側方に突設する鍔部と、前記鍔部の基部に前記筒体の組立て指示用凹部に嵌挿する指示用凸部を形成するホルダー部と、
前記探知針を貫通する貫通孔付き針ガイド体と、
前記ガイド体と前記小径ガイド体との間に形成された空隙部と、前記測定筒体と針ガイド体との間に形成された空隙部内に前記針ガイド体を挿入する前記コイルスプリングを挿入せしめると共に、前記測定筒体を常時右側方に付勢せしめ、
前記測定筒体の凹溝に嵌挿する突出部を単数もしくは複数内側に形成せしめ、前記筒体より突出する探知針の長さに比例し前記測定筒体の目盛をスライドしながら指示する前記測定筒体に嵌挿の測定体を形成し、
前記各構成部材を組立て形成せしめることを特徴とする下地材探知具。
【発明の詳細な説明】
【技術分野】
【０００１】
本発明は、建築物等に使用されている下地材を探知針を介して探知する下地材探知具の分野に関するものである。
【背景技術】
【０００２】
従来、下地材検出具として、特開平１１−２８１３０５公開特許公報に記載のものが開示されている。
【０００３】
前記公開特許公報の下地材検出具は、差込針５が下地材ｓに突き刺さった場合に壁材の厚さを読取ることができる構成部材として、ガイド体８の外周部に差込針５の差し込み深さを表示する深さ目盛１９を設けていることが開示されている。
【０００４】
さらに、従来針式下地検出具として、特開２００３−１５６３０３公開特許公報が開示されている。
【０００５】
前記公開特許公報の針式下地検出具は、内装壁１０１の厚さＴを測定するのに、この検出具を構成する可動体５０の一部を透視可能な窓部２３ａを開設し、この窓部２３ａに沿って目盛２３ｂを設けた構成である。
【０００６】
かかる構成によって、例えば、図５のように探知針４０の尖端部４１が下地材１０３に突き当たった場合に、窓部２３ａにおけるピストン部５１の端部５１ａの移動量Ｌを目盛２３ｂで読み取り、内装壁１０１の厚さＴを測定する構成である。
【先行技術文献】
【特許文献】
【０００７】
【特許文献１】特開平１１−２８１３０５公開特許公報
【特許文献２】特開２００３−１５６３０３公開特許公報
【発明の概要】
【発明が解決しようとする課題】
【０００８】
しかるに、前記した従来開示の特開平１１−２８１３０５公開特許公報の下地材検出具は、把手体１を手で握持し、握持したまま壁面等に向けて把手体１を押すと、ガイド体１が弾性体９に抗して握持体内に後退摺動し、これにより差込針５は針出穴８ａから露呈突出し、更なる把手体１の押動により差込針５は壁面等の検出部位ｗに差し込まれ、下地材ｓが無い部位においては、差込針は壁面等を貫通し、又、下地材ｓがある部位においては、検出部位ｗとしての壁面等を貫通した後に差込針５は下地材ｓに突き刺さり、それ以上は差し込みが不能となり、このような差込針５の壁面等への差し込みに伴う差し込み抵抗の変化を手応えで感得したり、差込針５への差し込み停止位置をガイド体８の把手体１内への没入位置をもって目視確認することによって、下地材ｓの有無を認識することになり、この際、上記ガイイド体８に上記差込針５の差し込み深さを表示する深さ目盛９を設けているから、差込針５が下地材ｓに突き刺さった場合には壁材の厚さを読取ることができる構成である。
【０００９】
前記下地材検出具は、差込針５の差込み深さを目盛９によって読取ることができるが、差込み深さの目盛９を差込針５を差し込んだまま測定しなければならなかったし、さらに差込針５を差し込んだまま記録等をしなければならないい煩雑さがあった。
【００１０】
さらに、折角差込針５を差し込んで差し込み深さが測定できたにも拘らず、不用意に深さ目盛９を記録等をしない中に、把手体１を抜きとってしまうと、差込針５がガイド体８内にもぐり込み、目盛９が「０」に戻ってしまうおそれがあった。
【００１１】
また、前記下地材検出具は、高所の壁面等の差込み作業になると、突き差したまま差込み深さ目盛９を読み取ることになって読み取り作業が極めて煩雑であった。
【００１２】
さらに、従来開示の特開２００３−１５６３０３公開特許公報の針式下地検出具も、検知針４０の尖端部４１が下地材１０３に突き当たった場合に、窓部２３ａにピストン部５１の端部５１ａの移動量Ｌを目盛２３ｂで読み取ることによって、内装壁１０１の厚さＴを測定することができる桟構を有しているが、殊に高所壁面等への前記探知針４０の突き差し作業中にグリップ１０を抜き取ってしまうと、ピストン部５１の端部５１ａは目盛２３ｂの「０」の位置に戻ってしまうので、しっかりと測定をしない中にグリップ１０を引き抜くことはできなかった。
【００１３】
従って、高所壁面等の下地を検知するための突き差し作業時の差し込み深さの読み取り測定作業は煩雑であった。
【００１４】
さらに、前記した従来開示の下地材検出具及び針式下地検出具は、作業者が差込針５もしくは探知針４０を下地材に差し込んだ際に、差し込み深さを読み取るのに目盛９、２３ｂが見易い位置に予め調整しておかなければならない煩雑な作業があった。
【００１５】
しかるに、本発明は、探知針ｊの差し込み作業中でも、殊に高所での差し込み作業後に抜き取り前記探知針ｊが筒体ａ内に潜ったとしても、測定筒体ｄに嵌挿している目盛１４を指示する測定体ｋが、確実に差し込み深さ目盛１４を指示しており、測定位置の高低にも拘らず測定作業をスムーズに処理できるようにした。
【００１６】
さらに本発明は、筒体ａの先端部１に、探知針ｊが出入する針孔２と、壁面ｐ等の表面部に当たる前面部１ａが円盤状にして、且フラット状の当て部１ｂを形成せしめ、探知針ｊの差し込み時に前記筒体ａの当て部１ｂの前面部１ａが壁面ｐ等に当っても、壁面ｐに当て部１ｂの前面部１ａの跡がつくことがなく、壁面ｐの損傷を防止し、前記壁面ｐの美感をも確保せしめた。
【課題を解決するための手段】
【００１７】
課題を解決するための手段として、請求項１に記載の発明は、探知針ｊを出入する針孔２を有する筒体ａ内に一端部１１が嵌挿し、他端部１７が飛出し、且内挿するコイルスプリングｇの付勢によって押圧される前記探知針ｊを飛出せしめる測定筒体ｄを有する下地材探知具において、前記測定筒体ｄの外周面部１３に飛出した探知針ｊの長さに比例する目盛１４を付記せしめると共に、前記測定筒体ｄに嵌挿する測定体ｋを嵌挿せしめることを特徴とする下地材探知具である。
【００１８】
課題を解決するための手段として、請求項２に記載の発明は、前記測定体ｋがスライド自在な環形状をしていることを特徴とする請求項１記載の下地材探知具である。
【００１９】
課題を解決するための手段として、請求項３に記載の発明は、前記測定筒体ｄの軸方向に凹溝１５を単数もしくは複数形成すると共に、前記測定体ｋの内側に前記凹溝１５に嵌挿する突出部３１を単数もしくは複数形成せしめることを特徴とする請求項１又は同２に記載の下地材探知具である。
【００２０】
課題を解決するための手段として、請求項４に記載の発明は、前記測定体ｋの幅員が均一にて形成せしめられていることを特徴とする請求項１又は同２又は同３に記載の下地材探知具である。
【００２１】
課題を解決するための手段として、請求項５に記載の発明は、前記測定体ｋが、前記測定筒体ｄの軸方向に対し、直角状に嵌挿せしめられていることを特徴とする請求項1又は同２又は同３又は同４に記載の下地材探知具である。
【００２２】
課題を解決するための手段として、請求項６に記載の発明は、前記筒体ａの先端部１に探知針Ｊが出入する針孔２を有し、且壁面ｐ等の表面部に当たる前面部１ａがフラット状の当て部１ｂを有していることを特徴とする請求項1又は同２又は同３又は同４又は同５に記載の下地材探知具である。
【００２３】
課題を解決するための手段として、請求項７に記載の発明は、先端部１に探知針ｊが出入する針孔２と、且壁面ｐ等の表面部に当たる前面部１ａにフラット状の当て部１ｂを有し、他端部３には開口部４を有し、内側の前方部には凹部６を有し、且前記開口部４より内側方に組立て指示用凹部６ａを有する中空状部７の筒体ａと、一端部８が前記筒体ａの中空状部７の凹部６に嵌挿し、且貫通孔９を有するガイド体ｂと、前記ガイド体ｂの貫通孔９に挿入し前記探知針ｊが貫通する小径貫通孔１０を有する小径ガイド体ｃと、前記筒体ａと前記ガイド体ｂとの間に一端部１１に係止部１２を有し、外周面部１３に前記探知針ｊの差込深さを表示する目盛１４を付記し、一端部１１寄りに直角状に折曲し、且軸方向に延設する凹溝１５を形成し、内側には貫通孔１６を形成し、他端部１７に針ガイド体ｆの他端部１８を挿入する挿入部１９と、前記挿入部１９と連接する探知針ｊの貫通孔２０とからなる針固定体ｈを係止する突出部２１を前記貫通孔１６と連接する嵌挿孔１６ａの内側部に形成し、且前記貫通孔１６の右側方の内側部にグリップ体ｌの一端部に形成の雄ネジ部２２が螺合する雌ネジ部２３を形成する測定筒体ｄと、前記測定筒体ｄの凹溝１５に嵌挿するガイド部２４を貫通孔２５の内側に形成し、且他端部２６に外側方に突設する鍔部２７と、前記鍔部２７の基部に前記筒体ａの組立て指示用凹部６ａに嵌挿する指示用凸部２７ａを形成するホルダー部ｅと、前記探知針ｊを貫通する貫通孔２８付き針ガイド体ｆと、前記ガイド体ｂと前記小径ガイド体ｃとの間に形成された空隙部２９と、前記測定筒体ｄと針ガイド体ｆとの間に形成された空隙部３０内に前記針ガイド体ｆを挿入する前記コイルスプリングｇを挿入せしめると共に、前記測定筒体ｄを常時右側方に付勢せしめ、前記測定筒体ｄの凹溝１５に嵌挿する突出部３１を単数もしくは複数内側に形成せしめ、前記筒体ａより突出する探知針ｊの長さに比例し前記測定筒体ｄの目盛１４をスライドしながら指示する前記測定筒体ｄに嵌挿の測定体ｋを形成し、前記各構成部材を組立て形成せしめることを特徴とする下地材探知具である。  
【発明の効果】
【００２４】
請求項１記載の発明は、探知針ｊを出入する針孔２を有する筒体ａ内に一端部１１が嵌挿し、他端部１７が飛出し、且内挿するコイルスプリングｇの付勢によって押圧される前記探知針ｊを飛出せしめる測定筒体ｄを有する下地材探知具において、前記測定筒体ｄの外周面部１３に飛出した探知針ｊの長さに比例する目盛１４を付記せしめると共に、前記測定筒体ｄに嵌挿する測定体ｋを嵌挿せしめる下地材探知具なので、探知針ｊの差し込んだ最大深さの表示によって壁面ｐと下地（梁）ｒ間の距離が極めて容易に測定することができる。
【００２５】
さらに本発明は、スライドする測定体ｋによって探知針ｊの最大深さ量の表示保持ができるので、安定した固定状態で測定数値を読み取ることができる。
【００２６】
また本発明は、測定体ｋによって、探知針ｊを差し込んだ状態での読み取りを不要にしたので、記録が容易となった。
【００２７】
さらに本発明は、探知針ｊを差し込み後、直ちに前記探知針ｊを抜く動作を実施した後でも、測定体ｋがスライドしないので、差し込んだ探知針ｊの最大深さを確実に読み取ることができる。
【００２８】
また本発明は、被測定位置が高くても、前記のとおり差し込み後直ちに抜き取っても、測定体ｋは容易にスライドすることなく、適度な保持力を維持しているので、探知針ｊの差し込み深さを正確に測定できる利点を有している。
【００２９】
請求項２に記載の発明は、前記測定体ｋがスライド自在な環形状をしている下地材探知具なので、前記請求項１に記載の発明と同じ効果を有している。
【００３０】
請求項３に記載の発明は、前記測定筒体ｄの軸方向に凹溝１５を単数もしくは複数形成すると共に、前記測定体ｋの内側に前記凹溝１５に嵌挿する突出部３１を単数もしくは複数形成せしめる下地材探知具なので、前記請求項１に記載の発明と同じ効果を有している。
【００３１】
請求項４に記載の発明は、前記測定体ｋの幅員が均一に形成せしめられている下地材探知具なので、前記請求項１に記載の発明と同じ効果を有している。
【００３２】
請求項５に記載の発明は、前記測定体ｋが、前記測定筒体ｄの軸方向に対し、直角状に嵌挿せしめられている下地材探知具なので、前記請求項１に記載の発明と同じ効果を有している。
【００３３】
請求項６に記載の発明は、前記筒体ａの先端部１に探知針Ｊが出入する針孔２を有し、且壁面ｐ等の表面部に当たる前面部１ａがフラット状の当て部１ｂを有している下地材探知具なので、前記請求項１に記載の発明と同じ効果を有している。
【００３４】
請求項７に記載の発明は、先端部１に探知針ｊが出入する針孔２と、且壁面ｐ等の表面部に当たる前面部１ａにフラット状の当て部１ｂを有し、他端部３には開口部４を有し、内側の前方部には凹部６を有し、且前記開口部４より内側方に組立て指示用凹部６ａを有する中空状部７の筒体ａと、一端部８が前記筒体ａの中空状部７の凹部６に嵌挿し、且貫通孔９を有するガイド体ｂと、前記ガイド体ｂの貫通孔９に挿入し前記探知針ｊが貫通する小径貫通孔１０を有する小径ガイド体ｃと、前記筒体ａと前記ガイド体ｂとの間に一端部１１に係止部１２を有し、外周面部１３に前記探知針ｊの差込深さを表示する目盛１４を付記し、一端部１１寄りに直角状に折曲し、且軸方向に延設する凹溝１５を形成し、内側には貫通孔１６を形成し、他端部１７に針ガイド体ｆの他端部１８を挿入する挿入部１９と、前記挿入部１９と連接する探知針ｊの貫通孔２０とからなる針固定体ｈを係止する突出部２１を前記貫通孔１６と連接する嵌挿孔１６ａの内側部に形成し、且前記貫通孔１６の右側方の内側部にグリップ体ｌの一端部に形成の雄ネジ部２２が螺合する雌ネジ部２３を形成する測定筒体ｄと、前記測定筒体ｄの凹溝１５に嵌挿するガイド部２４を貫通孔２５の内側に形成し、且他端部２６に外側方に突設する鍔部２７と、前記鍔部２７の基部に前記筒体ａの組立て指示用凹部６ａに嵌挿する指示用凸部２７ａを形成するホルダー部ｅと、前記探知針ｊを貫通する貫通孔２８付き針ガイド体ｆと、前記ガイド体ｂと前記小径ガイド体ｃとの間に形成された空隙部２９と、前記測定筒体ｄと針ガイド体ｆとの間に形成された空隙部３０内に前記針ガイド体ｆを挿入する前記コイルスプリングｇを挿入せしめると共に、前記測定筒体ｄを常時右側方に付勢せしめ、前記測定筒体ｄの凹溝１５に嵌挿する突出部３１を単数もしくは複数内側に形成せしめ、前記筒体ａより突出する探知針ｊの長さに比例し前記測定筒体ｄの目盛１４をスライドしながら指示する前記測定筒体ｄに嵌挿の測定体ｋを形成し、前記各構成部材を組立て形成せしめる下地材探知具なので、前記請求項１に記載の発明と同じ効果を有している。
【図面の簡単な説明】
【００３５】
【図１】本発明下地材探知具の使用状態を示す正面図である。
【００３６】
【図２】同探知針が飛出していない状態の正面図である。
【００３７】
【図３】図におけるＡ−Ａ線縦断正面図である。
【００３８】
【図４】同筒体とホルダー部の組立て前の斜視図である。
【００３９】
【図５】図４の部材を組立てた状態の斜視図である。
【００４０】
【図６】同ホルダー部を嵌挿した測定筒体の正面図である。
【００４１】
【図７】図６の斜視図である。
【００４２】
【図８】同ホルダー部の拡大正面図である。
【００４３】
【図９】図８のホルダー部の右側面図である。
【００４４】
【図１０】図８のホルダー部の平面図である。
【００４５】
【図１１】同筒体に組立てた測定筒体内に挿入前のコイルスプリング、探知針、針ガイド体等を示す図である。
【００４６】
【図１２】同探知針の一端部を固定させるための針固定体の正面図である。
【００４７】
【図１３】同図１２の針固定体の右側面図である。
【００４８】
【図１４】同第１実施例の下地材探知具の各構成部材の組立て前の斜視図である。
【００４９】
【図１５】第２実施例の下地材探知具の使用状態を示す正面図である。
【００５０】
【図１６】図１５の下地材探知具の斜視図である。
【００５１】
【図１７】図１５の下地材探知具の縦断正面図である。
【００５２】
【図１８】第２実施例の下地材探知具における各構成部材の組立て前の斜視図である。
【発明を実施するための最良の形態】
【００５３】
本発明の請求項１〜７に関する発明の実施の形態は、共通しているので以下のとおり一括して説明する。
【００５４】
ａは本発明の下地材探知具を構成する筒体であり、以下の構成からなっている。
【００５５】
前記筒体ａは、先端部１に探知針ｊが出入する針孔２と、且壁面ｐ等の表面部に当たる前面部１ａにフラット状の当て部１ｂを有し、他端部３には開口部４を有し、内側の前方部には凹部６を有し、且前記開口部４より内側方に組立て指示用凹部６ａを有する中空状部７となっている。
【００５６】
ｒは、前記壁面ｐの裏面部に取着の下地材である。
【００５７】
前記探知針ｊは、図１に図示のように、前記フラット状の当て部１ｂをも貫通した構造である。
【００５８】
さらに前記筒体ａの開口部４より、先端部１の内側部方向に、所定長さの内径が若干大き目の段部４ａ付き前方中空状部７ａを形成する。
【００５９】
さらに前記当て部１ｂは、前面部１ａ方向よりみて円盤形状である。
【００６０】
ｂは前記筒体ａ内に嵌挿するガイド体であり、以下の構成からなっている。
【００６１】
前記ガイド体ｂの一端部８は前記筒体ａの中空状部７の凹部６に嵌挿し、内側部には前記探知針ｊが貫通する貫通孔９を形成する。
【００６２】
ｃは小径ガイド体である。この構成は前記ガイド体ｂの貫通孔９内に挿入し前記探知針ｊが貫通する小径貫通孔１０を有する。
【００６３】
ｄは測定筒体であり以下の構成からなっている。
【００６４】
前記測定筒体ｄは断面が円形状にして、前記筒体ａと前記ガイド体ｂとの間に形成の中空状部７内に嵌挿する一端部１１に係止部１２を有し、外周面部１３に前記探知針ｊの差込深さを表示する目盛１４を付記する。
【００６５】
そして、一端部１１寄りに直角状に折曲し、且軸方向に延設する凹溝１５を通常２本を対称的に形成する。
【００６６】
内側には貫通孔１６を形成し、他端部１７に針ガイド体ｆの他端部１８を挿入する挿入部１９と、前記挿入部１９と連接する探知針ｊの貫通孔２０とからなる針固定体ｈを係止する突出部２１を前記貫通孔１６と連接する嵌挿孔１６ａの内側部に形成し、且前記貫通孔１６の右側方の内側部にグリップ体ｌの一端部に形成の雄ネジ部２２が螺合する雌ネジ部２３を形成する。
【００６７】
ｅはホルダー部であり、以下の構成からなっている。
【００６８】
前記測定筒体ｄの凹溝１５に嵌挿するガイド部２４を貫通孔２５の内側に単数もしくは複数形成し、且他端部２６に外側方に突設する鍔部２７と、前記鍔部２７の基部に前記筒体ａの組立て指示用凹部６ａに嵌挿する指示用凸部２７ａを形成する（図８、９、１０）。
【００６９】
ｆは針ガイド体である。この針ガイド体ｆは、前記探知針ｊを貫通する貫通孔２８が形成されている。
【００７０】
そして、前記針ガイド体ｆは、図３、１１のようにコイルスプリングｇ内に挿入させ使用する。
【００７１】
ｋは測定体であり、以下の構成からなっている。
【００７２】
前記測定体ｋは、前記測定筒体ｄに嵌挿可能な環形状にて形成し、内側に前記測定筒体ｄの凹溝１５に嵌挿する突出部３１を単数もしくは複数形成する。
【００７３】
さらに、前記測定体ｋは、前記測定筒体ｄに予め図６、７のように嵌挿して組立てる。
【００７４】
ｎは、マグネットｍを挿入し、前記グリップ体ｌに嵌着せしめるキャップである。
【００７５】
前記した本発明の下地材探知具の各構成部材の組立ては以下のようにする。
【００７６】
前記筒体ａの開口部４より中空状部７の凹部６に前記ガイド体ｂの一端部８を嵌挿する。
【００７７】
つぎに前記ガイド体ｂの貫通孔９内に小径ガイド体ｃを嵌挿する。
【００７８】
そして、前記針ガイド体ｆを前記コイルスプリング８内に挿入後、前記探知針ｊを前記針固定体ｈから前記針ガイド体ｆの貫通孔２８内に挿入し、前記測定筒体ｄから前記小径ガイド体ｃの貫通孔９に挿入し、前記針孔２へと挿入する。
【００７９】
前記測定筒体ｄには、前記測定筒体ｄの凹溝１５内に、前記ホルダー部ｅのガイド部２４を挿入し、前記測定筒体ｄと前記ホルダー部ｅとを予め組立てる。
【００８０】
前記測定体ｄと前記ホルダー部ｅとを組立て後、前記測定筒体ｄに前記環形状の測定体ｋを嵌挿する。
【００８１】
前記のようにして各部材を組立てした後、例えば図３に図示されているように、前記測定筒体ｄの後方部にグリップ体ｌを螺着せしめる。
【００８２】
前記測定筒体ｄに前記ホルダー部ｅと前記測定体ｋとを組立て後、例えば図３に図示されているように、前記探知針ｊを貫通せしめた前記小径ガイド体ｃと前記針ガイド体ｆを挿入せしめた前記筒体ａ内に前記測定筒体ｄを嵌挿せしめる。
【００８３】
そして、前記筒体ａの開口部４に、前記ホルダー部ｅを嵌め込み両体を接着剤等を介して容易に離脱しないように接着する。
【００８４】
前記のようにして組立てられた前記探知針ｊは、針先が前記コイルスプリングｇの伸長作用によって、前記針孔２から約１．５ｍｍ潜り込んで組み立てられている。例えば図３に図示されているように、針孔２から探知針ｊの先端部が飛出したりしない。
【００８５】
さらに本発明の下地材探知具は、前記のように各構成部材が組立てられ、差し込み使用前の状態のときは、前記測定体ｋが前記ホルダー部ｅと密着状態であること、前記測定体ｋの右側面部が目盛１４の「０」位置よりも、マイナスの領域に入っている。
【００８６】
また、前記測定筒体ｄの係止部１２は、前記筒体ａに嵌挿した前記ホルダー部ｅのガイド部２４によって係止されて抜け出したりしない。
【００８７】
そして、前記測定体ｋは、前記測定筒体ｄの凹溝１５内に嵌挿している突出部３１等によって、前記測定筒体ｄに対し適度な保持力を確保しスライドする状態で組立てられている。
【００８８】
前記のように組立てられた前記筒体ａを左手指で握持し、右手指で握持した前記測定筒体ｄを回転すると、前記ホルダー部ｅのガイド部２４が直角状に折曲している凹溝１５に嵌挿し、前記筒体ａと前記測定筒体ｄがロック状態となる。
【００８９】
つぎに、本発明の下地材探知具の作用につき説明する。
【００９０】
ロック状態になっている前記測定筒体ｄを、前記の回転操作と逆回転させ、前記筒体ａと前記測定筒体ｄとのロック状態を解除する。
【００９１】
前記グリップ体ｌを握持し、図１に図示されているように、壁面ｐに当て部１ｂの前面部１ａを当てる。
【００９２】
しかる後、グリップ体ｌを押圧し針先が前記壁面ｐに当ると、前記測定体ｋの右端部は、「０」の目盛１４に位置している。さらに、そのまま前進させると、前記探知針ｊ及び前記測定筒体ｄ等がコイルスプリングｇを圧縮して、前記探知針ｊが前記壁面ｐ内に差し込まれ、もしも下地材ｒがあって前記探知針ｊの先端部が前記下地材ｒに当ると前記探知針ｊの突進はストップする。
【００９３】
前記のように前記探知針ｊの差し込みがストップしたら、前記グリップ体ｌを握持し抜き取る。そのときコイルスプリングｇの付勢によって、前記測定筒体ｄが図１６に図示されているように押圧状態から伸長する。そして前記探知針ｊは、潜って針孔２から飛出しない。
【００９４】
その際前記測定体ｋが図１６のように目盛１４上をスライドして前記目盛１４を指示したままの状態でストップしている。
【００９５】
従って、スライドしストップしている前記測定体ｋの右側面部の数字を読み取ることによって前記探知針ｊの最大差込み深さを容易に記録し測定ができる。
【００９６】
そして、測定終了後は、前記測定体ｋを例えば図２に図示のとおり、前記ホルダー部ｅに密着せしめる。
【符号の説明】
【００９７】
ａ        筒体
ｂ        ガイド体
ｃ        小径ガイド体
ｄ        測定筒体
ｅ        ホルダー部
ｆ        針ガイド体
ｇ        コイルスプリング
ｈ        針固定体
ｊ        探知針
ｋ        測定体
ｌ        グリップ体
ｍ        マグネット
ｎ        キャップ
ｐ        壁面
ｒ        下地材
１        先端部
１ａ      前面部
１ｂ      当て部
２        針孔
３        他端部
４        開口部
４ａ      段部
６        凹部
６ａ      指示用凹部
７        中空状部
７ａ      段部付き前方中空状部
８        一端部
９        貫通孔
１０      小径貫通孔
１１      一端部
１２      係止部
１３      外周面部
１４      目盛
１５      凹溝
１６      貫通孔
１７      他端部
１８      他端部
１９      挿入部
２０      貫通孔
２１      突出部
２２      雄ネジ部
２３      雌ネジ部
２４      ガイド部
２５      貫通孔
２６      他端部
２７      鍔部
２７ａ    凸部
２８      貫通孔
２９      空隙部
３０      空隙部
３１      突出部
【図２】
2012132809.tif 000003
【図３】
2012132809.tif 000004
【図８】
2012132809.tif 000005
【図９】
2012132809.tif 000006
【図１０】
2012132809.tif 000007
【図１２】
2012132809.tif 000008
【図１３】
2012132809.tif 000009
【図１６】
2012132809.tif 000010
【図１】
2012132809.tif 000011
【図４】
2012132809.tif 000012
【図５】
2012132809.tif 000013
【図６】
2012132809.tif 000014
【図７】
2012132809.tif 000015
【図１１】
2012132809.tif 000016
【図１４】
2012132809.tif 000017
【図１５】
2012132809.tif 000018
【図１７】
2012132809.tif 000019
【図１８】
2012132809.tif 000020